(57)【要約】【課題】車両が発進又は停止する際の異音の発生を防止することができる防振装置を提供すること。【解決手段】貫通孔２２ｂの内周面形状を楕円形状に形成し、その楕円形状の長軸半径方向を車両前後方向に指向させる構成であるので、ストッパボルト４０と貫通孔２２ｂとの間における隙間を車両前後方向で十分に確保することができる。これにより、車両の発進又は停止に伴い、車両前後方向の大変位の振動が入力された場合でも、ストッパボルト４０が貫通孔２２ｂの内周面に衝突することを抑制して、打音（異音）の発生を抑制することができる。【選択図】図１
2008240999.tif 000002
【特許請求の範囲】
【請求項１】
エンジン側に連結される上側連結部材と、車体フレーム側に連結され中央部に貫通孔が穿設される下側連結部材と、これら上側連結部材および下側連結部材の間を連結しゴム状弾性材から構成される一対の防振基体と、前記貫通孔の内周面及び周縁部に配設されゴム状弾性材から構成されるストッパゴム部と、前記上側連結部材に一端側が固定されると共に前記下側連結部材の貫通孔に他端側が挿通配置される軸状部材とを備えた防振装置において、
前記貫通孔の内周面形状が楕円形状に形成されると共に、前記貫通孔は、前記楕円形状の長軸半径方向が車両前後方向を指向すると共に短軸半径方向が車両左右方向を指向する向きで配置され、
前記ストッパゴム部は、前記軸状部材が挿通される内周面の形状と、前記貫通孔の周縁部であって前記上側連結部材に対向する側に配置される部位の外形形状とが前記貫通孔に対応する楕円形状に形成されていることを特徴とする防振装置。
【請求項２】
ゴム状弾性材から構成され前記下側連結部材に覆設されると共に前記一対の防振基体と前記ストッパゴム部とを連結する薄膜状の下側ゴム膜部を備えていることを特徴とする請求項１記載の防振装置。
【請求項３】
ゴム状弾性材から構成され前記上側連結部材に覆設されると共に前記一対の防振基体を連結する薄膜状の上側ゴム膜部を備えていることを特徴とする請求項２記載の防振装置。
【請求項４】
ゴム状弾性材から構成され前記下側ゴム膜部から突設される突条部を備え、
前記突条部は、前記一対の防振基体と前記ストッパゴム部とを連結する突条として構成され、前記ストッパゴム部よりも突設高さが低くされていることを特徴とする請求項２又は３に記載の防振装置。
【発明の詳細な説明】
【技術分野】
【０００１】
本発明は、防振装置に関し、特に、車両が発進又は停止する際の異音の発生を防止することができる防振装置に関するものである。
【背景技術】
【０００２】
自動車のエンジンを車両フレームに対して防振支持する防振装置として、例えば、特許文献１に開示の防振装置がある。
【０００３】
この特許文献１に開示されるタイプの防振装置は、エンジン側に連結される上側連結部材と、車体フレーム側に連結され中央部に貫通孔を有する下側連結部材と、これら上側連結部材および下側連結部材の間を連結しゴム状弾性材から構成される一対の防振基体と、下側連結部材の貫通孔に配設されゴム状弾性材から構成されるストッパゴム部と、一端側が上側連結部材に固定されると共に他端側が下側連結部材の貫通孔に挿通される軸状部材とを備えて構成されている。
【０００４】
この防振装置によれば、エンジンからの大変位の振動が入力され、上側連結部材と下側連結部材とが相対移動された場合には、上側連結部材に一端が固定された軸状部材の他端が下側連結部材における貫通孔の内周面にストッパゴム部を介して受け止められ、その変位が規制されることで、大変位入力時のストッパ作用が得られる。
【特許文献１】特開平９−４６６４号公報（図１、段落［００１４］など）
【発明の開示】
【発明が解決しようとする課題】
【０００５】
しかしながら、上述した従来の防振装置では、大変位入力時における異音の発生を十分に抑制することができないという問題点があった。特に、車両が発進又は停止する際に発生する異音の防止が不十分であるという問題点があった。
【０００６】
本発明は上述した問題点を解決するためになされたものであり、車両が発進又は停止する際の異音の発生を防止することができる防振装置を提供することを目的としている。
【課題を解決するための手段】
【０００７】
この目的を達成するために、請求項１記載の防振装置は、エンジン側に連結される上側連結部材と、車体フレーム側に連結され中央部に貫通孔が穿設される下側連結部材と、これら上側連結部材および下側連結部材の間を連結しゴム状弾性材から構成される一対の防振基体と、前記貫通孔の内周面及び周縁部に配設されゴム状弾性材から構成されるストッパゴム部と、前記上側連結部材に一端側が固定されると共に前記下側連結部材の貫通孔に他端側が挿通配置される軸状部材とを備えたものであり、前記貫通孔の内周面形状が楕円形状に形成されると共に、前記貫通孔は、前記楕円形状の長軸半径方向が車両前後方向を指向すると共に短軸半径方向が車両左右方向を指向する向きで配置され、前記ストッパゴム部は、前記軸状部材が挿通される内周面の形状と、前記貫通孔の周縁部であって前記上側連結部材に対向する側に配置される部位の外形形状とが前記貫通孔に対応する楕円形状に形成されている。
【０００８】
請求項２記載の防振装置は、請求項１記載の防振装置において、ゴム状弾性材から構成され前記下側連結部材に覆設されると共に前記一対の防振基体と前記ストッパゴム部とを連結する薄膜状の下側ゴム膜部を備えている。
【０００９】
請求項３記載の防振装置は、請求項２記載の防振装置において、ゴム状弾性材から構成され前記上側連結部材に覆設されると共に前記一対の防振基体を連結する薄膜状の上側ゴム膜部を備えている。
【００１０】
請求項４記載の防振装置は、請求項２又は３に記載の防振装置において、ゴム状弾性材から構成され前記下側ゴム膜部から突設される突条部を備え、前記突条部は、前記一対の防振基体と前記ストッパゴム部とを連結する突条として構成され、前記ストッパゴム部よりも突設高さが低くされている。
【発明の効果】
【００１１】
請求項１記載の防振装置によれば、下側連結部材には貫通孔が穿設され、その貫通孔には一端側が上側連結部材に固定された軸状部材の他端側が挿通されている。これにより、例えば、エンジンから車両前後方向の大変位の振動が入力され、上側連結部材と下側連結部材との間に大きな相対変位が生じると、軸状部材が、ストッパゴム部を介して、貫通孔の内周面に受け止められることで、その軸状部材の変位が規制され、ストッパ作用が発揮される。
【００１２】
この場合、本発明の防振装置によれば、貫通孔の内周面形状を楕円形状に形成し、その楕円形状の長軸半径方向を車両前後方向に指向させる構成であるので、軸状部材と貫通孔との間における隙間を車両前後方向で十分に確保することができる。これにより、車両の発進又は停止に伴い、車両前後方向の大変位の振動が入力された場合でも、軸状部材が貫通孔の内周面に衝突することを抑制して、打音（異音）の発生を抑制することができるという効果がある。
【００１３】
一方で、本発明によれば、貫通孔の内周面形状を楕円形状に形成し、その楕円形状の短軸半径方向を車両左右方向に指向させる、即ち、貫通孔の内周面全体を大径化するのではなく、車両左右方向については車両前後方向よりも小径とする構成であるので、エンジンの車両左右方向の変位は確実に規制して、車両の操縦安定性を高めることができるという効果がある。
【００１４】
その結果、操縦安定性を確保するために、防振基体の形状や硬度などを変更する必要がなく、車両上下方向や車両前後方向における防振基体のばね特性が犠牲となることを回避できるので、車両上下方向の振動を減衰させると共に、車両前後方向の剛性を適正に調整して、車両の乗り心地の向上を図ることを、異音の発生防止と併せて達成することができるという効果がある。
【００１５】
ここで、例えば、エンジンから車両上下方向の大変位の振動が入力され、上側連結部材と下側連結部材との間に大きな相対変位が生じると、上側連結部材が、ストッパゴム部を介して、下側連結部材に受け止められることで、その上側連結部材の変位が規制され、ストッパ作用が発揮される。
【００１６】
この場合、本発明の防振装置によれば、ストッパゴム部は、貫通孔の周縁部であって上側連結部材に対向する側に配置される部位の外形形状が貫通孔に対応する楕円形状に形成されているので、上側連結部材と下側連結部材との間で挟持されても、ストッパゴム部の一部が破損等することを抑制して、そのストッパゴム部の耐久性の向上を図ることができるという効果がある。その結果、車両上下方向の振動入力に対する緩衝作用を確実に発揮することができる。
【００１７】
即ち、本発明の防振装置によれば、ストッパゴム部の外形形状を楕円形状に形成すると共に、その楕円形状の長軸半径方向及び短軸半径方向をそれぞれ車両前後方向及び車両左右方向に指向させ、かつ、そのストッパゴム部の楕円形状を貫通孔の楕円形状と相似形とする構成であるので、貫通孔の周縁部において、下側連結金具とストッパゴム部とのラップ代（重なり代）を周方向で均一とすることができる。
【００１８】
その結果、上側及び下側連結部材の間でストッパゴム部が挟持されても、周方向の一部に変形が集中することを抑制して、破損等することや貫通孔から脱落することを抑制することができるので、ストッパゴム部の耐久性の向上を図ることができると共に、ストッパ作用（緩衝作用）を確実に発揮することができる。
【００１９】
また、本発明の防振装置によれば、軸状部材が挿通されるストッパゴム部の内周面の形状（楕円形状）についても、上述した外形形状の場合と同様に、楕円形状の長軸半径方向及び短軸半径方向をそれぞれ車両前後方向及び車両左右方向に指向させ、かつ、そのストッパゴム部の楕円形状を貫通孔の楕円形状と相似形とする構成である。
【００２０】
よって、軸状部材とストッパゴム部の内周面との間における隙間を車両前後方向で十分に確保することができる。これにより、車両の発進又は停止に伴い、車両前後方向の大変位の振動が入力された場合でも、軸状部材の変位がストッパゴム部によって阻害され、異音が発生し易くなることを抑制することができるという効果がある。
【００２１】
同時に、貫通孔の内周面に配設されるストッパゴム部の肉厚を周方向で均一とすることができるので、軸状部材と貫通孔の内周面との間でストッパゴム部が挟持されても、周方向の一部が早期に破損等することを抑制することができる。
【００２２】
これにより、ストッパゴム部の耐久性の向上を図ることができるので、軸状部材が貫通孔の内周面に直接に当接される（即ち、ストッパゴム部を介さずに当接される）ことを抑制することでき、その結果、ストッパ作用（緩衝作用）を確実に発揮することができると共に、異音の発生をより確実に抑制することができるという効果がある。
【００２３】
請求項２記載の防振装置によれば、請求項１記載の防振装置の奏する効果に加え、ゴム状弾性材から薄膜状に構成され下側連結部材に覆設される下側ゴム膜部を備え、その下側ゴム膜部によって防振基体とストッパゴム部とが連結される構成であるので、防振基体と下側連結部材との間の剥離、及び、ストッパゴム部と下側連結部材との間の剥離を抑制して、その耐久性の向上を図ることができるという効果がある。
【００２４】
請求項３記載の防振装置によれば、請求項２記載の防振装置の奏する効果に加え、ゴム状弾性材から薄膜状に構成され上側連結部材に覆設される上側ゴム膜部を備え、その上側ゴム膜部によって一対の防振基体が連結される構成であるので、防振基体と上側連結部材との間の剥離を抑制して、その耐久性の向上を図ることができるという効果がある。
【００２５】
請求項４記載の防振装置によれば、請求項２又は３に記載の防振装置の奏する効果に加え、ゴム状弾性材から構成され下側ゴム膜部から突設される突条部を備え、その突条部によって防振基体とストッパゴム部とが連結される構成であるので、防振基体と下側連結部材との間の剥離、及び、ストッパゴム部と下側連結部材との間の剥離を、下側ゴム膜部のみが設けられている構成と比較して、より確実に抑制して、その耐久性のより一層の向上を図ることができるという効果がある。
【００２６】
また、突条部の突設高さをストッパゴム部の突設高さよりも低くして段差を設ける構成であるので、車両上下方向の大変位の振動入力に伴って、上側連結部材の変位を下側連結部材により受け止める際には、上記段差の効果により緩衝作用を効果的に発揮して、衝突の際の衝撃を緩やかとすることができるので、その分、異音の発生を抑制することができるという効果がある。
【発明を実施するための最良の形態】
【００２７】
以下、本発明の好ましい実施の形態について、添付図面を参照して説明する。図１は、本発明の一実施の形態における防振装置１００の部分断面図である。また、図２は、防振装置１００の側面図であり、図３は、防振装置１００の底面図である。
【００２８】
なお、図２及び図３は、図１の矢印ＩＩ方向視及び矢印ＩＩＩ方向視にそれぞれ対応する。また、各図中の矢印Ｕ−Ｄ、矢印Ｌ−Ｒ及び矢印Ｆ−Ｂは、車体１１の上下方向、左右方向および前後方向をそれぞれ示している。
【００２９】
防振装置１００は、ＦＲ（フロントエンジン・リアドライブ）型自動車のエンジンを３点支持（フロント２点及びリア１点で支持）するエンジンマウントの内のリアマウント（トランスミッションＴＭと車体フレームＢＦとの間に介装されるリア側のマウント）として構成されるものであり、図１及び図２に示すように、上側連結金具１０と、下側連結金具２０と、防振基体３０と、ストッパボルト４０とを主に備えて構成されている。
【００３０】
上側連結金具１０は、図１に示すように、エンジン側（トランスミッションＴＭ）にボルト等の締結手段（図示せず）を介して連結される部位であり、鉄鋼材料からなる２枚の長尺状の板材を折り曲げ形成すると共にそれらを溶接固定することで、上方（図１上側）へ向けて拡開する左右の取付板部１１と、それら左右の取付板部１１の間に位置する上面板部１２、左右の側面板部１３及び底面板部１４とを備えて構成されている。
【００３１】
左右の取付板部１１には、図１及び図２に示すように、挿通孔１１ａがそれぞれ２箇所ずつに穿設されている。この挿通孔１１ａに挿通されたボルト等の締結手段がエンジン側部材（トランスミッションＴＭ）に螺合されることで、上側連結金具１０がトランスミッションＴＭに締結固定される。
【００３２】
各面板部１２〜１４は、図１に示すように、これらが接続された形状が正面視逆台形状となるように構成されている。即ち、上面板部１２と底面板部１４とは互いに平行に配置されると共に、上面板部１２の幅寸法（図１左右方向寸法）が底面板部１４の幅寸法よりも長くされている。その結果、左右の側面板部１３は、上方（図１上側）へ向けて拡開されている。
【００３３】
また、上面板部１１及び底面板部１４には、その幅方向（図１左右方向）及び奥行き方向（図２左右方向）の中央に締結孔１２ａ，１４ａがそれぞれ穿設されている。締結孔１２ａ，１４ａは、後述するストッパボルト４０が締結固定される部位であり、この締結孔１２ａ，１４ａの内周面には、ストッパボルト４０の外周面に刻設されるおねじと螺合可能なめねじが刻設されている。
【００３４】
下側連結金具２０は、図１に示すように、車体フレームＢＦにボルト等の締結手段（図示せず）を介して連結される部位であり、鉄鋼材料からなる長尺状の板材を折り曲げ形成することで、上方（図１上側）へ向けて拡開する左右の連結板部２１と、それら左右の連結板部２１の間に位置する座面板部２２とを備えて構成されている。
【００３５】
なお、下側連結金具２０を構成する長尺状の板材は、上側連結金具１０を構成する打擲状の板材と同じ材質から構成されると共に、これら両板材は、図２に示すように、奥行き方向（図２左右方向）寸法が互いに同じ寸法値に設定されている。
【００３６】
左右の連結板部２１は、図１及び図２に示すように、上述した上側連結金具１０の側面板部１３と対向して配置されており、後述する防振基体３を介して、上側連結金具１０の側面板部１３に連結されている。
【００３７】
座面板部２２には、図１及び図３に示すように、挿通孔２２ａが４箇所に穿設されている。この挿通孔２２ａに挿通されたボルト等の締結手段が車体フレームＢＦに螺合されることで、下側連結金具２０が車体フレームＢＦに締結固定される。
【００３８】
また、座面板部２２には、図１及び図３に示すように、その幅方向（図１左右方向）及び奥行き方向（図２左右方向）の中央に貫通孔２２ｂが穿設されている。この貫通孔２２ｂは、後述するストッパボルト４０との相互作用により、大変位入力時のストッパ作用を発揮するための部位であり、その内周面形状が正面視楕円形状に構成されている。なお、貫通孔２２ｂの詳細構成については後述する。
【００３９】
防振基体３０は、図１及び図２に示すように、ゴム状弾性材から断面矩形状の直方体ブロック形状に形成され、上側連結金具１０の側面板部１２と下側連結金具２０の連結板部２１との間に所定角度傾斜した状態で配設（加硫接着）されている。
【００４０】
防振基体３０の内側面側上端部には、図１に示すように、底面板部１４の底面側（図１下側面）を覆う上側ゴム膜部３１が連なっている。上側ゴム膜部３１は、底面板部１４における締結孔１４ａの周囲の所定範囲を除いて設けられると共に、左右の防振基体３０を互いに連結するように構成されている。
【００４１】
また、防振基体３０の内周面側下端部には、図１に示すように、座面板部２２の上面側（図１上側面）を覆う下側ゴム膜部３２が連なっている。下側ゴム膜部３２は、座面板部２２における挿通孔２２ａの周囲の所定範囲を除いて設けられ、左右の防振基体３０を互いに連結すると共に、ストッパゴム部３３と、突条部３４とを備えて構成されている。
【００４２】
ストッパゴム部３３は、大変位入力時にストッパボルト４０又は底面板部１４と座面板部２２との間に挟持されてストッパ作用（緩衝作用）を発揮するための部位であり、貫通孔２２ｂの内周部及び周縁部に配設され、座面板部２２の上面側及び下面側（図１上側面及び下側面）に突設されると共に、正面視楕円形状の円環状に構成されている。なお、ストッパゴム部３３の詳細構成については後述する。
【００４３】
突条部３４は、ストッパ作用時の緩衝機能の向上と防振基体３０の耐久性の向上とを図るための部位であり、図１に示すように、下側ゴム膜部３２から突設される突条として構成されている。ここで、図４を参照して、突条部３４の詳細構成について説明する。
【００４４】
図４は、図１のＩＶ−ＩＶ線における防振装置１００の断面図である。突条部３４は、図４に示すように、座面板部２２の奥行き方向（図４左右方向）中央において断面円弧状に突出して形成されると共に、下側連結金具２０の幅方向（図４紙面垂直方向）に沿って延設され、防振基体３０の内側面下端部とストッパゴム部３３とを連結する突条として構成されている（図１参照）。
【００４５】
このように、本実施の形態における防振装置１００によれば、突条部３４によって防振基体３０の内側面下端部とストッパゴム部３３とが連結される構成であるので、防振基体３３と下側連結金具２０（連結板部２１及び座面板部２２）との間の剥離、及び、ストッパゴム部３３と下側連結金具２０（座面板部２２）との間の剥離を、下側ゴム膜部３２のみが設けられる構成と比較して、より確実に抑制して、その耐久性のより一層の向上を図ることができる。
【００４６】
ここで、突条部３４は、図４に示すように、ストッパゴム部３３よりも突設高さ（図４上下方向寸法）が低くされている。これにより、車両上下方向（矢印Ｕ−Ｄ方向）の大変位の振動入力に伴って、上側連結金具１０（底面板部１４）の変位を下側連結金具２０（座面板部２２）により受け止める際には、ストッパゴム部３３と突条部３４との突設高さの段差の効果により、緩衝作用を効果的に発揮して、衝突の際の衝撃を緩やかとすることができるので、その分、異音の発生を抑制することができる。
【００４７】
図１から図３に戻って説明する。ストッパボルト４０は、座面板部２２の貫通孔２２ｂとの相互作用により、大変位入力時のストッパ作用を発揮するための部位であり、図１に示すように、金属材料から断面円形の軸状体として構成されると共に、締結孔１２ａ，１４ａのめねじと螺合可能なおねじが外周面に刻設されている。
【００４８】
これにより、ストッパボルト４０は、図１に示すように、その外周面のおねじを締結孔１２ａ，１４ａのめねじに螺合させることで、一端側（図１上側）が上側連結金具１０に締結固定されると共に、他端側（図１下側）が下側連結金具２０の貫通孔に挿通配置される。なお、ストッパボルト４０の先端部（図１上側部）には拡径加工による回り止めが施されている。
【００４９】
また、ストッパボルト４０の他端側（図１下側）には、図１から図３に示すように、径方向外方へフランジ状に張り出すフランジ部４１が設けられている。フランジ部４１は、車両上方向（矢印Ｕ方向）への大変位入力時において、座面板部２２（ストッパゴム部３３）との間の相互作用により、ストッパ作用を発揮するための部位であり、図３に示すように、正面視円形に構成されている。
【００５０】
なお、図１に示す状態は、製品状態を示しており、この状態では、座面板部２２とストッパボルト４０のフランジ部４１との間でストッパゴム部３３が圧縮変形されている。一方、防振装置１００が車両に搭載されトランスミッションＴＲを支持する状態（１Ｗ負荷時）では、ストッパゴム部３３の上端面及び下端面と底面金具１４及びフランジ部４１との間に所定の隙間（クリアランス）が形成される。
【００５１】
次いで、図５を参照して、貫通孔２２ｂ及びストッパゴム部３３の詳細構成について説明する。図５は、図１のＶ−Ｖ線における防振装置１００の断面図である。
【００５２】
貫通孔２２ｂは、上述したように、正面視楕円形状に形成されている。詳細には、図５に示すように、貫通孔２２ｂの内周面形状が正面視楕円形状に形成されると共に、この楕円形状の長軸半径方向が車両前後方向（矢印Ｆ−Ｂ方向）を指向すると共に短軸半径方向が車両左右方向（矢印Ｌ−Ｒ方向）を指向する。
【００５３】
また、ストッパゴム部３３は、図５に示すように、ストッパボルト４０が挿通される内周面３３ａの形状と、貫通孔２２ｂの周縁部であって上側連結金具１０（底面板部１４、図１参照）に対向する側に配置される上端面３３ｂの形状とが貫通孔２２ｂに対応する楕円形状に形成されている。
【００５４】
即ち、ストッパゴム部３３は、図５に示すように、内周面３３ａ及び上端面３３ｂを正面視楕円形状に形成すると共に、その楕円形状の長軸半径方向及び短軸半径方向をそれぞれ車両前後方向（矢印Ｆ−Ｂ方向）及び車両左右方向（矢印Ｌ−Ｒ方向）に指向させ、かつ、それら内周面３３ａ及び上端面３３ｂの楕円形状を貫通孔２２ｂの楕円形状と相似形の楕円形状とする構成である。
【００５５】
これにより、図５に示すように、ストッパボルト４０と貫通孔２２ｂとの間における車両前後方向（矢印Ｆ−Ｂ方向）の隙間ｔＦ，ｔＢを十分に確保することができるので、車両の発進又は停止に伴い、車両前後方向の大変位の振動が入力された場合でも、ストッパボルト４０が貫通孔２２ｂの内周面に衝突することを抑制して、打音（異音）の発生を抑制することができる。
【００５６】
なお、上端面３３ｂは、座面板部２２と平行な面として構成されている。また、上端面３３ｂの短軸半径（図５左右方向寸法）は、上側連結金具１０の底面板部１４における下側平坦面（図１下側面）の幅寸法（図１左右方向寸法）と同じ長さに設定されている。
【００５７】
一方で、本実施の形態における防振装置１００によれば、図５に示すように、貫通孔２２ｂの内周面を正面視楕円形状に形成し、その楕円形状の短軸半径方向を車両左右方向（矢印Ｌ−Ｒ方向）に指向させる、即ち、貫通孔２２ｂの内周面全体を大径化するのではなく、車両左右方向については車両前後方向（矢印Ｆ−Ｂ方向）よりも小径とする構成であるので（ｔＦ，ｔＢ＜ｔＬ，ｔＲ）、エンジンの車両左右方向の変位を確実に規制して、車両の操縦安定性を高めることができる。
【００５８】
その結果、車両の操縦安定性を確保するために、防振基体３０の形状や硬度などを変更する必要がなく、車両上下方向（矢印Ｕ−Ｄ方向）や車両前後方向（矢印Ｆ−Ｂ方向）における防振基体３０のばね特性が犠牲となることを回避できるので、車両上下方向の振動を減衰させると共に、車両前後方向の剛性を適正に調整して、車両の乗り心地の向上を図ることを、異音の発生防止と併せて達成することができる。
【００５９】
また、ストッパゴム部３３は、上述したように、上端面３３ｂの形状が貫通孔２２ｂに対応する楕円形状に形成されているので、貫通孔２２ｂの周縁部において、図５に示すように、座面板部２２とストッパゴム部３３（上端面３３ｂ）とのラップ代（重なり代）を周方向で均一とすることができる。
【００６０】
その結果、車両上下方向（矢印Ｕ−Ｄ方向）の大変位入力に伴い、底面板部１４（図１参照）と座面板部２２との間でストッパゴム部３３が挟持されても、そのストッパゴム部３３の周方向の一部に変形が集中することを抑制することができる。これにより、ストッパゴム部３３が破損等することや貫通孔２２ｂから脱落することを抑制することができるので、その耐久性の向上を図ることができると共に、ストッパ作用（緩衝作用）を確実に発揮させることができる。
【００６１】
更に、本実施の形態における防振装置１００によれば、ストッパゴム部３３の内周面３３ａの形状（楕円形状）についても、上端面３３ｂの場合と同様に、貫通孔２２ｂの楕円形状と相似形とする構成であるので、ストッパゴム部３３（内周面３３ａ）とストッパボルト４０との間の車両前後方向（矢印Ｆ−Ｂ方向）における隙間を十分に確保することができる。
【００６２】
これにより、車両の発進又は停止に伴い、車両前後方向の大変位の振動が入力された場合でも、ストッパボルト４０の変位がストッパゴム部３３の内周面３３ａによって阻害され、異音が発生し易くなることを抑制することができる。
【００６３】
同時に、貫通孔２２ｂの内周面に配設される（内周面を覆う）ストッパゴム部３３の肉厚（例えば、図１左右方向寸法）を周方向で均一とすることができるので、ストッパボルト４０と貫通孔２２ｂの内周面との間でストッパゴム部３３が挟持されても、周方向の一部（即ち、上述した肉厚が薄肉となっている部分）が早期に破損等することを抑制することができる。
【００６４】
これにより、ストッパゴム部３３の耐久性の向上を図ることができるので、ストッパボルト４０が貫通孔２２ｂの内周面に直接に当接される（即ち、ストッパゴム部３３を介さずに当接される）ことを抑制することでき、その結果、ストッパ作用（緩衝作用）を確実に発揮させることができると共に、異音の発生をより確実に抑制することができる。
【００６５】
なお、ストッパゴム部３３の内周面３３ａは、ストッパボルト４０の外周面に沿って（即ち、車両上下方向に沿って）直線状に形成されている（図１参照）。一方、ストッパゴム部３３の外周面は、座面板部２２に向けて末広がりとなりつつ下側ゴム膜部３２に滑らかに接続されている。
【００６６】
また、ストッパゴム部３３の下端面（即ち、ストッパボルト４０のフランジ部４１と座面板部２２との間で挟持される側）は、上述した上端面と同様に構成される部位であるため、その詳細な説明については省略する。なお、フランジ部４１の直径は、ストッパゴム部３３の下端面（上端面３３ｂ）の長軸半径よりも大径とされている。これにより、ストッパゴム部３３の耐久性の向上を図ることができる。
【００６７】
以上、実施の形態に基づき本発明を説明したが、本発明は上記実施の形態に何ら限定されるものではなく、本発明の趣旨を逸脱しない範囲内で種々の改良変形が可能であることは容易に推察できるものである。
【００６８】
上記実施の形態で挙げた数値（例えば、各構成の数量や寸法・角度など）は一例であり、他の数値を採用することは当然可能である。
【００６９】
上記実施の形態では、貫通孔２２ｂ及び内周面３３ａを正面視楕円形状とする場合を説明したが、必ずしもこれに限られるものではなく、他の形状とすることは当然可能である。即ち、車両前後方向（矢印Ｆ−Ｂ方向）の隙間ｔＦ，ｔＢを、車両左右方向（矢印Ｒ−Ｌ方向）の隙間ｔＲ，ｔＬと比較して、大きくすることができれば足りる趣旨である。よって、他の形状としては、例えば、長円形状や長方形などが例示される。
【００７０】
上記実施の形態では、突条部３４が下側ゴム膜部３２のみに設けられる場合を説明したが、必ずしもこれに限られるものではなく、これに加えて又は代えて上側ゴム膜部３１に突条部３４を設けることは当然可能である。また、突条部３４の配設本数は、１本に限られるものではなく、奥行き方向（図２左右方向）に間隔を隔てつつ複数本を配設することは当然可能である。
【図面の簡単な説明】
【００７１】
【図１】本発明の一実施の形態における防振装置の部分断面図である。
【図２】防振装置の側面図である。
【図３】防振装置の底面図である。
【図４】図１のＩＶ−ＩＶ線における防振装置の断面図である。
【図５】図１のＶ−Ｖ線における防振装置の断面図である。
【符号の説明】
【００７２】
１００          防振装置
１０            上側連結金具（上側連結部材）
２０            下側連結金具（下側連結部材）
２２ｂ          貫通孔
３０            防振基体
３１            上側ゴム膜部
３２            下側ゴム膜部
３３            ストッパゴム部
３３ａ          内周面
３３ｂ          上端面
３４            突条部
４０            ストッパボルト（軸状部材）
ＴＭ            トランスミッション（エンジン側の一部）
ＢＦ            車体フレーム
Ｆ−Ｂ          車両前後方向
Ｌ−Ｒ          車両左右方向
【図１】
2008240999.tif 000003
【図２】
2008240999.tif 000004
【図３】
2008240999.tif 000005
【図４】
2008240999.tif 000006
【図５】
2008240999.tif 000007